(57)【要約】【課題】心電波形のＲ波等の生体電気信号を長期間にわたって精度よく検出することが可能なウェラブル電極を用いた生体電気信号取得システムを提供する。【解決手段】本願発明は、衣服の所定の位置に設置され、衣服を身に着けた生体に接触した際に生体の生体電気信号を検出する電極から生体電気信号を取得する生体電気信号取得システムであり、生体の姿勢の変化を検知する加速度センサと、第１の電極および第１の電極とは異なる複数の第２の電極を用いて生体電気信号を取得する取得部と、加速度センサが生体の姿勢の変化を検知した際に、第１の電極と複数の第２の電極のいずれかを用いて取得された生体電気信号のうち、１つの生体電気信号を選択するスイッチとを備える。【選択図】  図９
2018183635.tif 000002
【特許請求の範囲】
【請求項１】
衣服の所定の位置に設置され、前記衣服を身に着けた生体に接触した際に前記生体の生体電気信号を検出する電極から生体電気信号を取得する生体電気信号取得システムであって、
前記生体の姿勢の変化を検知する加速度センサと、
第１の電極および前記第１の電極とは異なる複数の第２の電極を用いて生体電気信号を取得する取得部と、
前記加速度センサが前記生体の姿勢の変化を検知した際に、前記第１の電極と前記複数の第２の電極のいずれかを用いて取得された生体電気信号のうち、１つの生体電気信号を選択するスイッチと
を備える生体電気信号取得システム。
【請求項２】
前記スイッチは、心電信号のＲ波の検出精度が最も高い前記生体電気信号を選択すること
を特徴とする請求項１に記載の生体電気信号取得システム。
【請求項３】
前記スイッチは、心電信号のＲ波のピーク・トゥ・ピーク高さが最も高い前記生体電気信号を選択すること
を特徴とする請求項１に記載の生体電気信号取得システム。
【請求項４】
前記複数の第２の電極の少なくとも１つは、少なくとも前記生体の肩部分および肩甲骨部分の一部と接触しうる位置に配置されていること
を特徴とする請求項１乃至３のいずれか１項に記載の生体電気信号取得システム。
【請求項５】
衣服の所定の位置に設置され、前記衣服を身に着けた生体に接触した際に前記生体の生体電気信号を検出する電極から生体電気信号を取得する生体電気信号取得方法であって、
加速度センサにより前記生体の姿勢の変化を検知するステップと、
第１の電極および前記第１の電極とは異なる複数の第２の電極を用いて生体電気信号を取得するステップと、
前記加速度センサが前記生体の姿勢の変化を検知した際に、前記第１の電極と前記複数の第２の電極のいずれかを用いて取得された生体電気信号のうち、１つの生体電気信号を選択するステップとを含む
生体電気信号取得方法。
【発明の詳細な説明】
【技術分野】
【０００１】
本発明は、日常的に心拍および心電波形を取得するために用いられる生体電極および生体電極を用いた生体電気信号取得システムおよび方法に関する。
【背景技術】
【０００２】
近年、日常的な自己の健康管理の重要性が指摘されている。このような個人の健康管理の手法の一つとして、長期間にわたって心電波形を記録することが提案されている。得られた波形を解析することで、自律神経の乱れや心臓病の兆候を早期に発見することができ、予防医学において有効であることが知られている。
【０００３】
特に、心室の収縮運動に由来するＲ波の発出時間間隔(Ｒ−Ｒ間隔)のゆらぎは自律神経の働きを反映しており、ストレス状態の把握に有益である。そのため、心電波形の記録装置には、Ｒ波を精度よく測定することが求められている。
【０００４】
長期間にわたって心電波形を取得するための電極構成として、生体電極の取り付けられた衣類（ウェアラブル電極）が注目されている（例えば、非特許文献１参照）。非特許文献１では、被測定者が胸部の左右２か所に接触するような位置に電極が埋め込まれた着衣を身に着けて、心電波形を測定している。
【先行技術文献】
【非特許文献】
【０００５】
【非特許文献１】David M. D. Ribeiro, et. al., "A Real time, Wearable ECG and Continous Blood Pressure Monitoring System for First Responders," 33rd Annual International Conference of the IEEE EMBS, pp. 6894-6898, 2011.
【発明の概要】
【発明が解決しようとする課題】
【０００６】
しかしながら、従来のウェアラブル電極においては、図１４に示すように生体電極５１、５２を衣服１０における心臓２０の高さ（左心室の中央ライン付近、男性では乳頭下線付近）の胸部の左右２箇所に設置することが多く、必ずしも健康な人のＲ波発出時の心臓電気軸(ＱＲＳ軸）３０に沿うものではないため、記録される心電波形においてＲ波のＰＴＰ（Peak to Peak：ピーク・トゥ・ピーク）高さが低く、検出精度が劣化するという課題があった。
【０００７】
また、被測定者の心臓電気軸に軸偏位が発生している場合には、被測定者毎の心臓電気軸に応じて電極の設置位置を変えなければならず、汎用的なウェアラブル電極を提供することが難しいという問題もあった。
【０００８】
さらには、図１４のように胸部の左右２箇所に電極を設置した場合、人体の姿勢が変化すると電極と人体の間に乖離が生じる場合があるので、それを防ぐための胸部を締め付ける構成が必要になり、日常的に心電波形を測定するには人体に対するストレスが大きいという問題がある。
【０００９】
本発明は、以上のような問題を解消するためになされたものであり、心電波形のＲ波等の生体電気信号を長期間にわたって精度よく検出することが可能なウェラブル電極を用いた生体電気信号取得システムを提供することを目的とする。
【課題を解決するための手段】
【００１０】
上記目的を達成するため、本発明の生体電気信号取得システムは、衣服の所定の位置に設置され、前記衣服を身に着けた生体に接触した際に前記生体の生体電気信号を検出する電極から生体電気信号を取得する生体電気信号取得システムであって、前記生体の姿勢の変化を検知する加速度センサと、第１の電極および前記第１の電極とは異なる複数の第２の電極を用いて生体電気信号を取得する取得部と、前記加速度センサが前記生体の姿勢の変化を検知した際に、前記第１の電極と前記複数の第２の電極のいずれかを用いて取得された生体電気信号のうち、１つの生体電気信号を選択するスイッチとを備える。
【００１１】
前記スイッチは、心電信号のＲ波の検出精度が最も高い前記生体電気信号を選択してもよい。
【００１２】
前記スイッチは、心電信号のＲ波のピーク・トゥ・ピーク高さが最も高い前記生体電気信号を選択してもよい。
【００１３】
前記複数の第２の電極の少なくとも１つは、少なくとも前記生体の肩部分および肩甲骨部分の一部と接触しうる位置に配置されていてもよい。
【００１４】
また、本発明の生体電気信号取得方法では、衣服の所定の位置に設置され、前記衣服を身に着けた生体に接触した際に前記生体の生体電気信号を検出する電極から生体電気信号を取得する生体電気信号取得方法であって、加速度センサにより前記生体の姿勢の変化を検知するステップと、第１の電極および前記第１の電極とは異なる複数の第２の電極を用いて生体電気信号を取得するステップと、前記加速度センサが前記生体の姿勢の変化を検知した際に、前記第１の電極と前記複数の第２の電極のいずれかを用いて取得された生体電気信号のうち、１つの生体電気信号を選択するステップとを含む。
【発明の効果】
【００１５】
以上のように、本発明の生体電気信号取得システムでは、電極が設置された衣服を身に着けた生体の姿勢の変化に応じて、電極から取得する生体電気信号を選択するように構成したので、生体電気信号を長期間にわたって精度よく検出することが可能となる。
【図面の簡単な説明】
【００１６】
【図１】図１は、本願発明の実施の形態に係るウェアラブル電極の設置位置の一例を示す図である。
【図２】図２は、本願発明の実施の形態に係るウェアラブル電極の設置位置の他の例を示す図である。
【図３】図３は、本願発明の実施の形態に係るウェアラブル電極の設置位置の他の例を示す図である。
【図４】図４は、本願発明の実施の形態に係る生体電気信号取得システムの一構成例を示す図である。
【図５】図５は、右胸部、左背中上部及び右背中上部に電極を設置した場合のＲ波のピーク・トゥ・ピーク高さの測定例を示す図である。
【図６】図６は、本願発明の実施の形態に係る生体電気信号取得システムの他の構成例を示す図である。
【図７】図７は、本願発明の実施の形態に係る電極の構成例を示す図である。
【図８】図８は、本願発明の第１の実施の形態に係る生体電気信号取得システムの構成例を示す図である。
【図９】図９は、本願発明の第１の実施の形態に係る生体電気信号取得装置の構成例である。
【図１０】図１０は、本願発明の第１の実施の形態に係る生体電気信号取得方法のフローチャートである。
【図１１】図１１は、本願発明の第２の実施の形態に係る生体電気信号取得システムの構成例を示す図である。
【図１２】図１２は、本願発明の第２の実施の形態に係る生体電気信号取得装置の構成例である。
【図１３】図１３は、本願発明の第２の実施の形態に係る生体電気信号取得方法のフローチャートである。
【図１４】図１４は、従来のウェアラブル電極の構成例を示す図である。
【発明を実施するための形態】
【００１７】
以下、本願発明の実施の形態について図面を参照して説明する。尚、説明の都合上、以下の実施の形態で用いる図面では、設置される電極が衣服の外側に設置されている様に記載されているが、実際には人体表面に接触し得るように衣服の内側に設置されている。他の実施の形態においても同様である。
【００１８】
[ウェアラブル電極の設置位置]
図１は、本願発明の実施の形態に係るウェアラブル電極の設置位置の一例を示す図である。図１の設置位置の例では、心臓２０付近の左胸部４１および背中上部４３に電極を設置するため、記録される心電波形において、右胸に設置した場合よりも高いＲ波のＰＴＰ高さを検出することができる。さらに、健康なヒトのＲ波発出時の心臓電気軸（ＱＲＳ軸）３０に沿う位置を含む領域に電極を設置すれば、Ｒ波のＰＴＰ高さが高くなり、Ｒ波の検出精度を向上させることができる。
【００１９】
本願発明の実施の形態に係るウェアラブル電極の設置位置の他の例を、図２に示す。図２の設置位置の例では、左背中上部４５および右背中上部４４にそれぞれ少なくとも一つの電極を備えるようにしている。これにより、右側臥位・左側臥位のいずれの姿勢においても、電極が背中上部４４あるいは４５に接触し、姿勢の変化等に起因する電極と人体表面との乖離が生じず、長期間に渡るＲ波の検出が可能となる。さらに、左胸部４１の電極と左背中上部４５の電極の組合せと、左胸部４１の電極と右背中上部４４の電極の組合せのうち、よりＲ波のＰＴＰ高さが高い電極の組合せを選択することにより、健康な人の心臓電気軸（ＱＲＳ軸）３０に沿う位置を含む領域に設置された電極組合せを選択することも可能となる。
【００２０】
本願発明の実施の形態に係るウェアラブル電極の設置位置の他の例を図３に示す。図３の構成例では、左背中上部４５、右背中上部４４、右胸部４２、右腹部４６、左腹部４７にそれぞれ少なくとも一つの電極を備えることにより、左胸部４１に設置した電極と前記５箇所に設置した電極の組合せのうち、よりＲ波のＰＴＰ高さが高い電極の組合せを選択することが可能となる。また、心臓の軸偏位が発生している被測定者においても、Ｒ波発出時の心臓電気軸(ＱＲＳ軸）３０に沿う位置を含む領域に設置された電極組合せを選択することもできるので、記録される心電波形においてＲ波のＰＴＰ高さが高くなり、Ｒ波の検出精度を向上させることができる。
【００２１】
[生体電気信号取得システムの構成]
図４は、本願発明の実施の形態に係る生体電気信号取得システムの一構成例を示す図である。図４に示す生体電気信号取得システムは、衣服１０、生体電気信号取得装置６０、衣服１０の内側に体表面に接触するように設置された生体電気信号を受信する電極５１および５３、および配線６１および６３から構成される。ウェアラブル電極は、人体の左胸部に接触する電極５１と、右背中上部に接触する電極５３とを備え、電極５１が図１に示す領域４１に設置され、前記電極５３が図１に示す領域４３に設置されている。
【００２２】
尚、図４では、電極５３は電極５１とほぼ同じ高さの衣服１０上の位置に設置されているが、少なくとも電極５１と同じ高さの位置もしくは電極５１が設置された位置よりも高い位置に設置し、健康なヒトの心臓電気軸（ＱＲＳ軸）に沿う位置を含む領域に電極を設置することもできる。
【００２３】
また、電極５１は配線６１によって生体電気信号取得装置６０の正電極或いは負電極に接続され、電極５３は配線６３によって生体電気信号取得装置６０の負電極或いは正電極に接続される。この電極５１、５３によりＲ波の波形が測定できるように構成されている。
【００２４】
ここで、電極５１および５３の素材は特に限定されず、市販の電解質ペースト付き医療用Ａｇ／ＡｇＣｌ電極や、カーボンフィラー混合樹脂、Ａｇ布、導電性高分子含浸布帛、電解液を染み込ませた布帛等を用いることができる。
【００２５】
また、電極５１および５３の大きさ、数については、設置される領域に含まれる大きさ、数であれば特に制限は無い。衣服１０の構造上、人体表面とよく接触する部位、例えば、両脇部、肩甲骨等を含むような大きさの電極を設置すれば、被測定者が動いても電極と人体表面との接触状態を維持しやすくなり、長期にわたって精度よく生体電気信号を取得できるようになる効果が得られる。
【００２６】
少なくとも１つ以上の電極が人体表面と常時接触しているような、衣服上の複数の位置に電極を設置してやれば、被測定者が動いた場合でも、安定的に生体電気信号を取得することが可能となる。以下の他の実施の形態においても同様である。
【００２７】
なお、生体信号取得の際に用いられる基準電位については、衣服１０に電極５１および５３と接触しないように別途基準電極を設けて生体電気信号取得装置６０と接続してもよい。また、正電極と負電極が受信する信号から求めた中間電位を強制的に基準電位として与えてもよく、生体電気信号取得装置６０の回路ＧＮＤ（Ｇｒｏｕｎｄ）の電位を用いても良い。
【００２８】
また、配線６１および６３は、公知の配線素材を制限なく用いることができるが、ヒトの動きによって変形する衣服１０上に設置されるため、例えば、導電性ゴムのように、配線素材自体に伸縮性があるもの、バネのように伸縮性のある構造・レイアウトをしているものがより望ましい。また、電極設置部位以外の人体等からの信号を取得しないよう、絶縁体で被覆されていることが望ましい。
【００２９】
生体電気信号取得装置６０は、少なくとも正電極と負電極を備え、心電波形を取得しＲ波を検出する公知の生体電気信号取得装置を特に限定なく用いることができる。  
【００３０】
図５に、電極５１を左胸部４１に設置し、電極５３を左背中上部４５または右背中上部４４にそれぞれ設置した際に取得される心電波形のＲ波のＰＴＰ高さを、電極を右胸部に設置した場合を基準として比較測定した結果を示す。電極を右胸に設置した場合と比較し、電極を背中上部に設置した場合には１．５倍以上のＲ波のＰＴＰ高さが得られている。
【００３１】
また、よりＰＴＰ高さが高い右背中上部の電極を選択すれば、健康なヒトの心臓電気軸（ＱＲＳ軸）３０に沿う位置を含む領域に設置された電極を選択することもでき、Ｒ波の検出精度をさらに向上させることができる。
【００３２】
図６は、本発明の実施の形態に係る生体電気信号取得システムの他の構成例を示す図である。図６に示す生体電気信号取得システムは、衣服１０、生体電気信号取得装置６０、衣服１０の内側に体表面に接触するように備えられた生体電気信号を受信する電極５１および５４、および配線６１および６４、から構成される。ウェアラブル電極は、人体の左胸部４１に接触する電極５１と、右背中上部４４に接触する電極５４とを備え、前記電極５１が図１に示す領域４１に設置され、前記電極５４が図１に示す領域４４に設置されている。
【００３３】
図６のウェアラブル電極では、右背中上部４４において少なくとも肩および肩甲骨を含む位置に電極５４を設置することにより、姿勢の変化等に起因する電極と体表との乖離を防止している。この構成によれば、特に電極と人体の密着度を高めるための構成、例えば、伸縮性素材で電極部を締めつける構成などをとらなくても、人体の姿勢に関わらず、電極５４が右背中上部４４に接触することが可能となる。
【００３４】
図７は、本発明の実施の形態に係る電極の構成例を示す図であり、本発明の実施形態に係る電極の構成をより具体的に説明するための図である。本図から明らかなように、人体の姿勢(立位・座位・臥位)に関わらず、電極５４と人体表面の肩部分から肩甲骨部分の少なくとも一部と接触し得る接触部８０を設けることができる。これにより、人体の姿勢の変化等に起因する電極と人体との乖離を防止し、精度よくＲ波を検出することができ、長期間に渡るＲ波の検出が可能となる。
【００３５】
［第１の実施の形態］
図８は、本願発明の第１の実施の形態に係る生体電気信号取得システムの構成例を示す図である。図８に示す生体電気信号取得システムでは、図６に記載した構成に加え、左背中上部４５に設置された電極５５と、電極５５と生体電気信号取得装置６０とを接続する配線６５とをさらに備えている。
【００３６】
図９は、本願発明の第１の実施の形態に係る生体電気信号取得装置の構成例である。図９の生体電気信号取得装置６０は、波形記録部７０、ＰＴＰ高さ比較部７１および切り替えスイッチ７２を備えている。
【００３７】
本構成例では、正電極或いは負電極を電極５１と接続し、残る負電極或いは正電極は、切換えスイッチ７２を介して電極５４或いは電極５５と接続する。生体電気信号取得装置６０は、電極５１と電極５４の組合せおよび電極５１と電極５５の組合せにおいてそれぞれ所定の時間の間、生体電気信号を取得し、２つの電極組合せのうち、取得される生体信号のＰＴＰ高さが大きい電極の組合せを選択し、選択された電極の組合せで生体信号を取得する。
【００３８】
本構成例によれば、まず、図６の場合と比較して、ウェアラブル電極を、左背中上部４５および右背中上部４４の両方に電極を設置しているので、右側臥位・左側臥位のいずれの姿勢においても、左背中上部および右背中上部の電極の少なくともいずれかの電極の人体の背中上部への接触を常時確保することができる。
【００３９】
さらに、左胸部の電極５１と左背中上部の電極５５の組合せと、左胸部の電極５１と右背中上部の電極５５の組合せのうち、よりＲ波のＰＴＰが高い電極の組合せを選択することにより、健康な人の心臓電気軸（ＱＲＳ軸）３０に沿う位置を含む領域に設置された電極組合せを選択することも可能となり、検出精度の高いＲ波の検出が可能となる。
【００４０】
尚、波形記録部７０、ＰＴＰ高さ比較部７１、切り替えスイッチ７２はそれぞれ既存の回路構成、回路部品で構成すれば良い。
【００４１】
図１０は、本願発明の第１の実施の形態に係る生体電気信号取得方法のフローチャートである。本願発明の生体電気信号取得方法では、まず、波形記録部７０と電極５４が接続されるように、スイッチ７２を設定して（Ｓ１−１）、電極５４から生体電気信号Ａの波形を取得する（Ｓ１−２）。次に、波形記録部７０と電極５５が接続されるように、スイッチを切り替えて（Ｓ１−３）、電極５５から生体電気信号Ｂの波形を取得する（Ｓ１−４）。
【００４２】
次に、測定された生体電気信号ＡおよびＢのＰＴＰ高さを比較して（Ｓ１−５）、ＰＴＰ高さが高いほうの電極に接続されるようにスイッチ７２を設定して（Ｓ１−６）、生体電気信号ＡまたはＢを取得する（Ｓ１−７）。
【００４３】
ここで、図１０におけるステップ１（Ｓ１−１〜Ｓ１−４）およびステップ２（Ｓ１−５〜Ｓ１−６）（以下、まとめて「キャリブレーションステップ」という）は測定ステップ（Ｓ１−７）の前に少なくとも一回行えば良いが、これに限定されることはなく、測定ステップを行う毎に定期的にキャリブレーションステップを行なってもよい。これにより、生体電気信号を取得する電極を定期的に切り替えることができる。
【００４４】
また、ウェアラブル電極にさらにキャリブレーション開始ボタンを設け、被測定者の所望のタイミングで前記キャリブレーション開始ボタンを押すことによりキャリブレーションステップが開始されるようにしてもよく、ウェアラブル電極にさらに加速度センサを設け、被測定者の姿勢が変化する毎に自動的にキャリブレーションステップが開始される構成としても良い。
【００４５】
このとき、生体電気信号取得装置６０に基準電位を与えるための基準電極をさらに備え、各ステップにおいて電極５４或いは電極５５のうち、前記生体電気信号取得装置６０の正極或いは負極と接続されない方を、前記基準電極に接続するような構成としても良い。
【００４６】
このように、本実施の形態によれば、左背中上部および右背中上部に電極の少なくともいずれかの電極を背中上部に設置することにより、姿勢の変化等に起因する電極と体表との乖離を防ぐことができる。また、２つの電極の組合せのうち、よりＲ波のＰＴＰが高い電極の組合せを選択することにより、心臓電気軸３０に沿う位置の電極組合せを選択することも可能となり、精度よくＲ波を検出することができ、長期間に渡るＲ波の検出が可能となる。
【００４７】
［第２の実施の形態］
図１１は、本願発明の第２の実施の形態に係る生体電気信号取得システムの構成例を示す図である。
【００４８】
図１１に示す生体電気信号取得システムでは、図８に記載した構成に加え、右胸部に電極５２、右腹部に電極５６、左腹部に電極５７を備え、電極５２と生体電気信号取得装置６０とを接続する配線６２と、電極５６と生体電気信号取得装置６０を接続する配線６６と、電極５７と生体電気信号取得装置６０を接続する配線６７とをさらに備える。
【００４９】
尚、図１１では、右胸部、右腹部および左腹部に電極を備えた構成例を示したが、全ての位置に電極を設置する必要はなく、設置する電極の場所は適宜選択するようにすればよい。例えば、左胸部、右胸部、右背中上部および左背中上部に電極を設置するようにしてもよい。
【００５０】
図１２に示す本願発明の生体電気信号取得装置６０は、波形記録部７０、ＰＴＰ高さ比較部７１および切り替えスイッチ７２を備えており、正電極或いは負電極を電極５１と接続し、残る負電極或いは正電極を、切換えスイッチ７２を介して電極５２、電極５４、電極５５、電極５６、電極５７のいずれかと接続する。
【００５１】
本構成例では、電極５１と電極５２の組合せ、電極５１と電極５４の組合せ、電極５１と電極５５の組合せ、電極５１と電極５６の組合せ、電極５１と電極５７の組合せにおいてそれぞれ所定の時間の間、生体電気信号を取得し、前記５つの電極の組合せのうち、取得される生体信号のＰＴＰ高さが最も大きい電極の組合せを選択し、選択された電極の組合せで生体信号を取得する。
【００５２】
本構成例においても、波形記録部７０、ＰＴＰ高さ比較部７１、切り替えスイッチ７２はそれぞれ既存の回路構成、回路部品で構成すれば良い。
【００５３】
図１３は、本願発明の第２の実施の形態に係る生体電気信号取得方法のフローチャートである。本発明の生体電気信号取得方法では、図１０と同様に、まず、波形記録部７０と電極５２、５４、５５、５６、５７が順次接続されるように、スイッチ７２を設定して（Ｓ２−１）、各電極から生体電気信号の波形（Ａ〜Ｅ）を取得する（Ｓ２−２）。
【００５４】
次に、測定された生体電気信号（Ａ〜Ｅ）のＰＴＰ高さを比較して（Ｓ２−３）、ＰＴＰ高さが最も高い電極に接続されるようにスイッチ７２を設定して（Ｓ２−４）、生体電気信号（Ａ〜Ｅ）のいずれかを取得する（Ｓ２−５）。
【００５５】
ここで、図１０と同様に、図１３におけるステップ１（Ｓ２−１、Ｓ２−２）およびステップ２（Ｓ２−３、Ｓ２−４）の「キャリブレーションステップ」は、測定ステップ（Ｓ２−５）の前に少なくとも一回行えば良いが、これに限定されることはなく、所定の時間測定ステップを行う毎に定期的に行なって、生体電気信号を取得する電極を切り替えるようにしてもよい。
【００５６】
また、ウェアラブル電極にさらにキャリブレーション開始ボタンを設け、被測定者の所望のタイミングで前記キャリブレーション開始ボタンを押すことにより、キャリブレーションステップが開始されるようにしてもよく、前記ウェアラブル電極にさらに加速度センサを設け、被測定者の姿勢が変化する毎に自動的にキャリブレーションステップが開始される構成としても良い。
【００５７】
このとき、前記生体電気信号取得装置６０に基準電位を与えるための基準電極をさらに備え、各ステップにおいて電極５２、電極５４、電極５５、電極５６、電極５７のうち、生体電気信号取得装置６０の正極或いは負極と接続されないもののいずれか、或いは生体電気信号取得装置６０の正極或いは負極と接続されないすべての電極を５ｋΩ以上の抵抗を介して互いに接続した点を、基準電極に接続するような構成としても良い。
【００５８】
以上説明したように、本発明の実施の形態によれば、心電図を測定する被測定者の心臓電気軸（ＱＲＳ軸）に沿う位置を含む領域（例えば、健康な人であれば、心臓付近の左胸部および背中上部）にウェアラブル電極を設置することにより、記録される心電波形においてＲ波のＰＴＰ高さが高くなり、Ｒ波の検出精度を向上させることができる。
【００５９】
また、ウェアラブル電極を、左背中上部および右背中上部に電極を設置することにより、右側臥位・左側臥位のいずれの姿勢においても、左背中上部および右背中上部の電極の少なくともいずれかの電極の人体の背中上部への接触を常時確保することができる。
【００６０】
さらに、左胸部の電極と左背中上部の電極の組合せと、左胸部の電極と右背中上部の電極の組合せのうち、よりＲ波のＰＴＰ高さが高い電極の組合せを選択することにより、健康な人の心臓電気軸（ＱＲＳ軸）３０に沿う位置を含む領域に設置された電極組合せを選択することも可能となり、検出精度の高いＲ波の検出が可能となる。
【００６１】
さらに、ウェアラブル電極を、左背中上部、右背中上部、右胸部、右腹部、左腹部に電極を設置し、左胸部に設置した電極と前述の５箇所に設置した電極の組合せのうち、よりＲ波のＰＴＰが高い電極の組合せを選択するようにすれば、心臓の軸偏位が発生している被測定者においても、Ｒ波発出時の心臓電気軸（ＱＲＳ軸）に沿う位置を含む領域に設置された電極組合せを選択することもできるので、Ｒ波のＰＴＰ高さが高くなり、Ｒ波の検出精度を向上させることができる。
【産業上の利用可能性】
【００６２】
本発明は、日常的に心拍および心電波形を取得するために用いられる生体電極および生体電極を用いた生体電気信号取得システムに利用することができる。
【符号の説明】
【００６３】
１０…衣服、２０…心臓、３０…心臓電気軸、４１…左胸部、４２…右胸部、４３…背中上部、４４…右背中上部、４５…左背中上部、４６…右腹部、４７…左腹部、５１…左胸部電極、５２…右胸部電極、５３…背中上部電極、５４…右背中上部電極、５５…左背中上部電極、５６…右腹部電極、５７…左腹部電極、６０…生体電気信号取得装置、６１−６７…配線、７０…波形記録部、７１…ＰＴＰ高さ比較部、７２…スイッチ、８０…接触部。
【図１】
2018183635.tif 000003
【図２】
2018183635.tif 000004
【図３】
2018183635.tif 000005
【図４】
2018183635.tif 000006
【図５】
2018183635.tif 000007
【図６】
2018183635.tif 000008
【図７】
2018183635.tif 000009
【図８】
2018183635.tif 000010
【図９】
2018183635.tif 000011
【図１０】
2018183635.tif 000012
【図１１】
2018183635.tif 000013
【図１２】
2018183635.tif 000014
【図１３】
2018183635.tif 000015
【図１４】
2018183635.tif 000016